【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
建築物開口部用のカバーにおいて、
前記建築物開口部の窓枠に取り付けるための１つ又は複数の取付ブラケットと、
前記１つ又は複数の取付ブラケットに回転可能に取り付けられている左及び右端部を有する水平方向ヘッドレールであって、その長手方向軸回りに、開位置と閉位置の間で回転できるようになっているヘッドレールと、
前記ヘッドレールから垂下している複数の水平方向に向いた羽根板であって、各羽根板は、（ｉ）隣接する羽根板から垂直方向に間隔を空けて配置されており、（ii）各羽根板の長手方向軸回りに開位置と閉位置の間で回転可能であり、（iii）カバーが伸張してい
る
ときの第１位置と、カバーが収縮しているときの第２位置との間で垂直方向に移動することができ、更に、前記開位置では、前記建築物開口部への入射光の実質的に大部分が直接そこを通過することができ、前記閉位置では、入射光の実質的に大部分が直接そこを通過するのを妨げられるように構成されている羽根板と、を備えているカバー。
【請求項２】
前記ヘッドレールの断面形状は、前記複数の羽根板の各羽根板の断面形状と略同じである、請求項１に記載のカバー。
【請求項３】
前記ヘッドレールの幅は、前記複数の羽根板の各羽根板の幅よりも大きい、請求項１に記載のカバー。
【請求項４】
前記ヘッドレールは、弓形凸型上面と弓形凸型底面とを備えており、前記上面と前記底面とは共通の前縁部及び後縁部で交差する、請求項１に記載のカバー。
【請求項５】
前記ヘッドレールは、押出成形金属製である、請求項４に記載のカバー。
【請求項６】
前記ヘッドレールの幅は、前記複数の羽根板の各羽根板の幅の約１１０％である、請求項３に記載のカバー。
【請求項７】
前記ヘッドレールの前記左及び右端部は、前記ヘッドレールの前記長手方向軸に実質的に垂直な方向に、略水平方向に移動できるよう、前記１つ又は複数のブラケットに取り付けられている、請求項１に記載のカバー。
【請求項８】
前記１つ又は複数の取り付けブラケットは、左及び右取付ブラケットを含んでおり、前記ヘッドレールの前記左端部は、前記左取付ブラケットに取り付けられており、前記ヘッドレールの前記右端部は、前記右取付ブラケットに取り付けられている、請求項７に記載のカバー。
【請求項９】
前記ヘッドレールの前記左及び右端部は、それぞれそこから長手方向外向きに伸張する１つ又は複数のピンを含んでおり、前記１つ又は複数のピンは、前記左又は右取付ブラケットそれぞれに回転可能に収容されるようになっている、請求項８に記載のカバー。
【請求項１０】
前記１つ又は複数のピンは、（ｉ）実質的に前記ヘッドレールの前記長手方向軸に沿って伸張する第１ピンと、（ii）前記第１ピンから離れた位置にある第２ピンとを備えており、前記第１及び第２ピンは、対応する左及び右取付ブラケットの第１及び第２溝それぞれに収容されている、請求項９に記載のカバー。
【請求項１１】
前記第１溝は、前記取付ブラケット内を、略水平方向に前端部から後端部まで伸張している、請求項１０に記載のカバー。
【請求項１２】
前記第２溝は、前記第１溝の前記後端部に近い最も後方の位置を有しており、（ａ）前記最も後方の位置から略上向き前方に上端部まで伸張し、（ｂ）前記最も後方の位置から下向き前方に底端部まで伸張している、請求項１１に記載のカバー。
【請求項１３】
前記第２溝は略Ｖ字型である、請求項１２に記載のカバー。
【請求項１４】
前記第２溝は弓形である、請求項１２に記載のカバー。
【請求項１５】
前記左及び右取付ブラケットは、それぞれ更に、水平方向に向いた舌状部材を含んでおり、前記舌状部材は、前記取付ブラケットの本体内に、水平方向に移動し、前記本体の前縁部の前方に伸張できるように滑動可能に収容されており、前記第１溝は前記舌状部材内に設けられている、請求項１２に記載のカバー。
【請求項１６】
前記取付ブラケットの前記左及び右端部の１つ又は複数のピンの内の少なくとも１つのピンは、ばね力が負荷されている、請求項９に記載のカバー。
【請求項１７】
前記複数の羽根板は、２つ又はそれ以上のコードはしごによって前記ヘッドレールから垂下しており、各コードはしごは、前方垂直伸張上昇コードと後方垂直伸張上昇コードを備えており、前記前方及び後方上昇コードは、複数の横桟によって接続されており、各羽根板は、前記コードはしごの横桟によって支えられるか又は吊り下げられており、前記前方上昇コードと前記後方上昇コードは、それぞれ上端部を有しており、前記前方上昇コードの上端部は、前記ヘッドレールの長手方向に伸張する前縁部近くで前記ヘッドレールに取り付けられており、前記後方上昇コードの上端部は、前記ヘッドレールの長手方向に伸張する後縁部近くで前記ヘッドレールに取り付けられている、請求項１に記載のカバー。
【請求項１８】
各羽根板は、前記複数の横桟の内の１つの横桟に接着剤で取り付けられている、請求項１７に記載のカバー。
【請求項１９】
各羽根板は、前記複数の横桟の内の１つの横桟に支えられている、請求項１８に記載のカバー。
【請求項２０】
前記２つ又はそれ以上のコードはしごの内の左コードはしごは、前記ヘッドレールの左端から約１インチ未満の位置で前記ヘッドレールの前記前縁部と後縁部に取り付けられており、前記２つ又はそれ以上のコードはしごの内の右コードはしごは、前記ヘッドレールの右端から約１インチ未満の位置で前記ヘッドレールの前記前縁部と後縁部に取り付けられている、請求項１７に記載のカバー。
【請求項２１】
前記２つ又はそれ以上のコードはしごの内の左コードはしごは、前記ヘッドレールの左端近くで前記ヘッドレールに取り付けられており、前記２つ又はそれ以上のコードはしごの内の右コードはしごは、前記ヘッドレールの右端近くで前記ヘッドレールに取り付けられており、更に、１つ又は複数の片側式コードはしごを備えており、前記１つ又は複数の片側式コードはしごは、後方上昇コードと、前記後方上昇コードに沿って間隔を空けて配置された複数の桟とを含んでいるが、前方上昇コードは有しておらず、各片側式コードはしごは、前記第１コードはしごの取付位置と前記第２コードはしごの取付位置の間の位置で前記ヘッドレールに取り付けられており、前記１つ又は複数の片側式コードはしごの各横桟は、前記複数の羽根板の内の１つの羽根板に接着剤で接着されている、請求項１７に記載のカバー。
【請求項２２】
更に、前記２つ又はそれ以上のコードはしごそれぞれに対し一式のリフトコードセット
を備えており、各リフトコードセットは前方リフトコードと後方リフトコードを有しており、前記前方リフトコードは、関連するコードはしごの前記前方上昇コードと略同一の空間に亘って、フットレールの底端部から前記ヘッドレールの前縁部まで伸張しており、前記後方リフトコードは、関連するコードはしごの前記後方上昇コードと略同一の空間に亘って、前記フットレールの底端部から前記ヘッドレールの前縁部まで伸張しており、前記前方及び後方リフトコードは、それぞれ、前記ヘッドレールの前記前縁部及び後縁部から前記ヘッドレールの内側へ続いている、請求項１７に記載のカバー。
【請求項２３】
前記後方リフトコードは、前記関連するコードはしごの前記同一の空間に亘って伸張している後方上昇コードと絡み合っている、請求項２２に記載のカバー。
【請求項２４】
細長くて実質的に垂直方向に向いたチルト作動器ロッドを更に備えており、前記作動器ロッドは、前記ヘッドレールの長手方向に伸張する前縁部と回転可能に接続されており、前記作動器ロッドを垂直方向に動かすと、前記ヘッドレールが開位置と閉位置の間で回転するようになっている、請求項１に記載のカバー。
【請求項２５】
細長くて実質的に垂直方向に向いたチルト作動器ロッドを更に備えており、前記作動器ロッドは、前記ヘッドレールの長手方向に伸張する前縁部と回転可能に接続されており、前記作動器ロッドを垂直方向に動かすと、前記ヘッドレールが前記開位置と閉位置の間で回転するようになっている、請求項２２に記載のカバー。
【請求項２６】
前記作動器ロッドに滑動可能に取り付けられているリフト作動器を更に備えており、前記リフト作動器を滑動させると、前記複数の羽根板が前記伸張位置と収縮位置の間で動くようになっている、請求項２４に記載のカバー。
【請求項２７】
前記作動器ロッドに滑動可能に取り付けられており、且つ前記リフトコードセットに取り付けられているリフト作動器を更に備えており、前記リフト作動器を滑動させると、前記複数の羽根板が前記伸張位置と収縮位置の間で動くようになっている、請求項２５に記載のカバー。
【請求項２８】
前記リフト作動器は、前記作動器ロッドに沿う垂直位置に前記リフト作動器を選択的に保持するよう構成されているロック機構を更に備えている、請求項２７に記載のカバー。
【請求項２９】
前記リフトコードのセットは、前記ヘッドレールの内側から、前記ヘッドレールの前記前縁部に近い開口を通り、前記作動器ロッドの内側に入り、下向きに前記リフト作動器まで伸張し、そこで各リフトコードが終結している、請求項２７に記載のカバー。
【請求項３０】
前記作動器ロッドは、前記カバーを正面から見たとき、前記２つ又はそれ以上のコードはしごの内の１つのコードはしごの前記前方上昇コードを実質的に隠すように、前記ヘッドレールの前記前縁部に沿った位置に配置されている、請求項２５に記載のカバー。
【請求項３１】
前記作動器ロッドを建築物開口部の枠に前記作動器ロッドの底端部に略近い垂直位置で接続するための回転アームと回転アーム取付ブラケットとを更に備えており、前記取付ブラケットは、前記建築物開口部の枠に取り付けられるようになっており、前記回転アームは、第１端部が前記取付ブラケットに、第２端部が前記作動器ロッドに回転可能に取り付けられている、請求項２４に記載のカバー。
【請求項３２】
建築物開口部用のカバーにおいて、
前記建築物開口部の窓枠に取り付けることができるようになっているヘッドレールと、
前記ヘッドレールから垂下している複数の羽根板であって、各羽根板が長手方向軸を有
している複数の羽根板と、
前記複数の羽根板の下に配置されているフットレールと、
１つ又は複数のコードはしごとチルトロッドとを含んでおり、前記チルトロッドを作動させると、前記各羽根板が前記羽根板の前記長手方向軸回りにチルトするようになっているチルト機構アッセンブリと、
１つ又は複数のリフトコードと第１リフト作動器とを含んでおり、前記１つ又はそれ以上のリフトコードは前記フットレールから前記ヘッドレール及び前記第１リフト作動器まで伸張しており、前記第１リフト作動器は、前記チルトロッドに滑動可能に取り付けられ、前記１つ又は複数のリフトコードと連結されており、前記チルトロッドに沿って前記第１リフト作動器を動かすと、前記羽根板が伸張位置と収縮位置の間で垂直方向に移動するようになっているリフト機構アッセンブリと、を備えている建築物開口部用のカバー。
【請求項３３】
前記第１リフト作動器は、前記リフト作動器を前記作動器ロッドに沿って垂直位置に選択的に保持することができるようになっているロック機構を含んでいる、請求項３２に記載のカバー。
【請求項３４】
前記チルトロッドを垂直方向に動かすと、前記羽根板が、開位置と閉位置の間で回転するようになっている、請求項３２に記載のカバー。
【請求項３５】
前記チルトロッドは、少なくとも部分的には中空の内部を有しており、前記第１リフト作動器の相当な部分は前記中空内に入っている、請求項３２に記載のカバー。
【請求項３６】
前記第１リフト作動器は本体と摘みとを含んでおり、前記本体は、前記少なくとも部分的には中空の内部内に実質的に入っており、前記摘みは、前記本体から前記チルトロッドの長手方向に伸張する開口を通って外向きに伸張している、請求項３５に記載のカバー。
【請求項３７】
前記第１リフト作動器を前記チルトロッドに沿って第１距離だけ上向きに動かすと、前記フットレールが第２距離だけ下がるようになっている、請求項３２に記載のカバー。
【請求項３８】
前記第１距離は、前記第２距離と略等しい、請求項３７に記載のカバー。
【請求項３９】
前記第１距離は、前記第２距離より短い、請求項３７に記載のカバー。
【請求項４０】
前記第１距離は、前記第２距離の実質的に半分である、請求項３９に記載のカバー。
【請求項４１】
前記１つ又は複数のリフトコードは、前記第１リフト作動器の軸の回りに、その回りを滑動できるように巻き付けられており、前記１つ又は複数のリフトコードの端部は、前記チルトロッドのチルトロッド端部近くに固定されている、請求項３２に記載のカバー。
【請求項４２】
第２リフト作動器を更に備えており、前記第２リフト作動器は、前記チルトロッドに滑動可能に取り付けられ、前記第１リフト作動器と作動的に連結されている、請求項３２に記載のカバー。
【請求項４３】
前記第１リフト作動器と第２リフト作動器の少なくとも一方は、前記第１及び第２リフト作動器を前記作動器ロッドに沿って垂直位置に選択的に保持することができるようになっているロック機構を含んでいる、請求項４２に記載のカバー。
【請求項４４】
前記第１及び第２リフト作動器は、１つ又は複数のコネクタコードによって作動的に連結されており、前記コネクタコードの各端部は、前記第１及び第２リフト作動器の１つに固定されている、請求項４２に記載のカバー。
【請求項４５】
前記ロック機構はウェッジを備えており、前記ウェッジは、前記リフト作動器の本体に回転可能に取り付けられており、前記チルトロッドの表面に押し付けられている、請求項３３に記載のカバー。
【請求項４６】
前記ロック機構はボールを備えており、前記ボールは、（ｉ）前記リフト作動器の本体の表面と（ii）前記チルトロッドの表面とに接触し、両者の間に押し付けられている、請求項３３に記載のカバー。
【請求項４７】
先端部を有するレバーを更に備えており、前記先端部は前記ボールと接触しており、前記レバーを操作すると、前記ボールを、（ｉ）前記リフト作動器の前記本体の前記表面と（ii）前記チルトロッドの前記表面との間に押し付けられている位置から外に動かすことができるようになっている、請求項４６に記載のカバー。
【請求項４８】
前記ヘッドレールは、前記ヘッドレールの長手方向に伸びる軸の回りに回転運動できるように、前記窓枠に回転可能に取り付けられている、請求項３２に記載のカバー。
【請求項４９】
前記チルトロッドは、前記ヘッドレールの長手方向に伸張する前縁部と回転可能に接続されており、前記チルトロッドを垂直方向に動かすと、前記ヘッドレールが前記ヘッドレールの長手方向に伸張する軸の回りに回転するようになっている、請求項４８に記載のカバー。
【請求項５０】
前記チルトロッドを建築物開口部の前記枠に前記チルトロッドの底端部に略近い垂直位置で接続するための回転アームと回転アーム取付ブラケットとを更に備えており、前記取付ブラケットは、前記建築物開口部の枠に取り付けられるようになっており、前記回転アームは、第１端部が前記取付ブラケットに、第２端部が前記チルトロッドに回転可能に取り付けられている、請求項４８に記載のカバー。
【請求項５１】
建築物開口部用のカバーにおいて、
前記建築物開口部の窓枠に取り付けることができるようになっているヘッドレールと、
前記ヘッドレールから垂下している複数の羽根板であって、各羽根板が長手方向軸を有している複数の羽根板と、
前記複数の羽根板の下に配置されているフットレールと、
１つ又は複数の片側式コードはしごを含んでいるチルト機構アッセンブリであって、前記１つ又は複数の片側式コードはしごは、後方上昇コードと、前記後方上昇コードに沿って間隔を空けて配置されている複数の桟とを含んでいるが、前方上昇コードは含んでおらず、前記片側式コードはしごは、それぞれ、前記フットレールから前記ヘッドレールまで伸張しており、前記複数の横桟の各横桟は、前記複数の羽根板の各羽根板に接着剤で連結されている、チルト機構アッセンブリと、を備えている建築物開口部用カバー。
【請求項５２】
少なくとも２つのコードはしごを更に備えており、各コードはしごは、前方の垂直に伸張する上昇コードと後方の垂直の伸張する上昇コードとを備えており、前記前方及び後方の上昇コードは複数の横桟によって接続されており、各羽根板は、前記コードはしごの横桟によって支えられるか、又は吊り下げられており、前記少なくとも２つのコードはしごの各コードはしごは、前記フットレールから前記ヘッドレールまで伸張している、請求項５１に記載のカバー。
【請求項５３】
前記複数の羽根板の各羽根板は、前記複数の横桟の各横桟に接着剤で連結されている、請求項５２に記載のカバー。
【請求項５４】
各羽根板は、前記複数の横桟の各横桟に支えられている、請求項５３に記載のカバー。
【請求項５５】
各羽根板は底面を有しており、前記複数の横桟の各横桟は、前記羽根板の前記底面に２つの離れた位置で接着剤により接着されている、請求項５４に記載のカバー。
【請求項５６】
前記少なくとも２つのコードはしごは、第１コードはしごと第２コードはしごを備えており、前記第１コードはしごは、前記複数の羽根板の各羽根板の左端から約１インチ以内に配置されており、前記第２コードはしごは、前記複数の羽根板の各羽根板の右側から約１インチ以内に配置されている、請求項５２に記載のカバー。
【請求項５７】
前記片側式コードはしごは、それぞれ、前記少なくとも２つのコードはしごの間に、前記複数の羽根板の各羽根板に沿う長手方向の位置に配置されている、請求項５２に記載のカバー。
【請求項５８】
前記ヘッドレールは、前記ヘッドレールの長手方向に伸びる軸の回りに回転運動できるように、前記窓枠に回転可能に取り付けられている、請求項５２に記載のカバー。
【請求項５９】
前記ヘッドレールの断面形状は、前記複数の羽根板の各羽根板の断面形状と略相似形である、請求項５８に記載のカバー。
【請求項６０】
前記ヘッドレールの幅は、前記複数の羽根板の各羽根板の幅よりも大きい、請求項５９に記載のカバー。
【請求項６１】
前記片側式コードはしごと前記少なくとも２つのコードはしごの前記後方上昇コードは、前記ヘッドレールの長手方向に伸張する後縁部に沿って、且つそれに近い位置で、前記ヘッドレールに取り付けられている、請求項５８に記載のカバー。
【請求項６２】
前記少なくとも２つのコードはしごの前記前方上昇コードは、前記ヘッドレールの長手方向に伸張する前縁部に沿って、且つそれに近い位置で、前記ヘッドレールに取り付けられている、請求項６１に記載のカバー。
【請求項６３】
複数のリフトコードを更に備えており、前記複数のリフトコードは、少なくとも１つの前方リフトコードと少なくとも１つの後方リフトコードを含んでおり、前記複数のリフトコードの内の前記少なくとも１つの前方リフトコードは、前記少なくとも２つのはしごテープの内の１つ又はそれ以上の、前方上昇コードの１つと略同一の空間に亘って前記フットレールから前記ヘッドレールまで伸張しており、前記少なくとも１つの後方リフトコードは、前記少なくとも２つのコードはしごの内の１つ又はそれ以上の、後方上昇コードの１つと略同一の空間に亘って前記フットレールから前記ヘッドレールまで伸張している、請求項５２に記載のカバー。
【請求項６４】
前記後方リフトコードは、関連する同一の空間に亘って伸張している後方上昇コードと絡み合わされている、請求項６３に記載のカバー。
【請求項６５】
細長くて実質的に垂直方向に向いているのチルト作動器ロッドを更に備えており、前記作動器ロッドは、前記ヘッドレールの長手方向に伸張する前縁部と回転可能に接続されており、前記作動器ロッドを垂直方向に動かすと、前記ヘッドレールが、前記作動器ロッドの長手方向に伸張する軸の回りに回転するようになっている、請求項５８に記載のカバー。
【請求項６６】
リフト機構アッセンブリを更に備えており、前記リフト機構アッセンブリは、１つ又は
複数のリフトコードと、リフト作動器とを含んでおり、前記リフト作動器は前記作動器ロッドに滑動可能に取り付けられており、前記１つ又は複数のリフトコードは、前記フットレールから前記ヘッドレールへ、そして前記ヘッドレールに沿って、更に前記作動器アッセンブリの少なくとも一部に沿って前記リフト作動器まで伸張している、請求項６５に記載のカバー。
【請求項６７】
前記１つ又は複数のリフトコードは前記リフト作動器で終結している、請求項６６に記載のカバー。
【請求項６８】
前記リフト作動器は、前記リフト作動器を前記作動器ロッドに沿って垂直位置に選択的に保持するよう構成されているロック機構を更に備えている、請求項６６に記載のカバー。
【請求項６９】
建築物開口部用のカバーにおいて、
ヘッドレールと、
１つ又は複数のコードはしごによって前記ヘッドレールから吊り下げられている複数の羽根板と、
前記複数の羽根板を選択的にチルトさせるために前記１つ又は複数のコードはしごに作動的に接続されているチルト機構であって、（ｉ）重りと、（ii）前記重りと連結されているチルト作動器コードと、（iii）前記チルト作動器コードの一部分を周囲に巻き付け
、前記重りによって第１回転方向に回転するよう付勢されているボビンと、（iv）前記ボビンを前記第１回転方向とは反対の第２回転方向に付勢するカウンターバランスとを含んでいるチルト機構と、を備えているカバー。
【請求項７０】
前記ヘッドレールは、前記建築物開口部の窓枠に取り付けて、前記ヘッドレールの長手方向に伸張する軸の回りに回転運動させることができるようになっている、請求項６９に記載のカバー。
【請求項７１】
前記カウンターバランスは、ばねである、請求項６９に記載のカバー。
【請求項７２】
前記重りは、前記チルト作動器コードの自由端に固定されている飾り房である、請求項６９に記載のカバー。
【請求項７３】
前記ボビンにはテーパが付いている、請求項６９に記載のカバー。
【請求項７４】
前記ボビンの表面には、前記チルト作動器コード受け入れることができる大きさの連続する溝が渦巻き状に形成されている、請求項６９に記載のカバー。
【請求項７５】
左及び右の取付ブラケットを更に備えており、各ブラケットは、前記建築物開口部の窓枠に固定されるようになっており、そこから伸張する軸を含んでいて、前記軸は、前記ヘッドレールの対応する左又は右の端部の内の１つを、その上に回転可能に受け入れるようになっている、請求項６９に記載のカバー。
【請求項７６】
前記左及び右の取付ブラケットの内の１つは、前記軸に固定されている歯車とプーリの内の１つを含んでおり、前記チルト機構は、更に、前記軸に固定されている前記歯車とプーリの内の前記１つに作動的に連結されている１つ又は複数のプーリ又は歯車を備えている、請求項７５に記載のカバー。
【請求項７７】
前記カウンターバランスよって掛けられる付勢力と前記重りよって掛けられる付勢力とは実質的に同じである、請求項６９に記載のカバー。
【請求項７８】
前記ボビンは、前記ヘッドレール内に入っている、請求項６９に記載のカバー。
【請求項７９】
前記ボビンは前記ヘッドレールに連結されており、前記ボビンが前記ヘッドレールの長手方向軸回りに回転できるようになっている、請求項７８に記載のカバー。
【請求項８０】
前記ばねは一定張力型ばねである、請求項７１に記載のカバー。
【請求項８１】
前記ヘッドレールが取付ブラケットに対して回転できるようになっている取付ブラケットを更に備えており、前記取付ブラケットは、更に、前記取付ブラケットに取り付けられている歯車とプーリの内の１つを備えており、前記歯車とプーリの内の前記１つが前記取付ブラケットに対して回転運動するのを防いでいる、請求項７９に記載のカバー。
【請求項８２】
前記ボビンは、１つ又は複数の接続歯車又はプーリを通して、前記歯車とプーリの内の１つと作動的に連結されている、請求項８１に記載のカバー。
【請求項８３】
前記歯車とプーリの内の１つは歯車である、請求項８２に記載のカバー。
【請求項８４】
前記１つ又は複数のコードはしごの上端は、前記ヘッドレールの前方又は後方の長手方向に伸張する縁部に取り付けられている、請求項７０に記載のカバー。
【請求項８５】
前記１つ又は複数のコードはしごの上端は、前記ヘッドレールの前方又は後方の長手方向に伸張する縁部に取り付けられている、請求項８２に記載のカバー。
【請求項８６】
建築物開口部用のカバーにおいて、
複数の羽根板と、
前記羽根板を接続している１つ又は複数のコードはしごと、
前記複数の羽根板を、前記複数の羽根板の回転軸回りに時計回り及び反時計回りに回転させるための平衡チルト機構であって、第１カウンターバランスと第２カウンターバランスとを含んでおり、前記第１カウンターバランスは前記複数の羽根板に時計回りに付勢し、前記第２カウンターバランスは前記複数の羽根板を反時計回りに付勢するように構成されている平衡チルト機構と、を備えているカバー。
【請求項８７】
前記第１カウンターバランスは重りである、請求項８６に記載のカバー。
【請求項８８】
前記第２カウンターバランスはばねである、請求項８６に記載のカバー。
【請求項８９】
前記ばねは一定張力型ばねである、請求項８８に記載のカバー。
【請求項９０】
前記第１カウンターバランスによって掛けられる時計回りの付勢力は、前記第２カウンターバランスによって掛けられる反時計回りの付勢力と実質的に等しい、請求項８６に記載のカバー。
【請求項９１】
前記第１及び第２カウンターバランスは、ボビンによって作動的に連結されている、請求項８６に記載のカバー。
【請求項９２】
前記ボビンは前記カバーのヘッドレール内に入っている、請求項９１に記載のカバー。
【請求項９３】
前記ヘッドレールは、建築物開口部に取り付けられているとき、前記ヘッドレールの長手方向軸回りに回転できるようになっている、請求項９２に記載のカバー。
【請求項９４】
前記ボビンは、前記ヘッドレールに連結されており、前記ボビンが、前記ヘッドレールに対して前記ヘッドレールの前記長手方向軸回りに回転できるようにしている、請求項９３に記載のカバー。
【請求項９５】
前記ボビンは、取付ブラケットと作動的に連結されており、前記取付ブラケットは、前記建築物開口部の表面に取り付けられるようになっている、請求項９４に記載のカバー。
【請求項９６】
ヘッドレールを更に備えており、前記１つ又は複数のコードはしごは、前記ヘッドレールの長手方向に伸張する縁部に接続されている、請求項８６に記載のカバー。
【請求項９７】
コードとカウンターバランス連結機構とを更に備えており、前記コードは、一端が前記重りに、他端が前記カウンターバランス連結機構に取り付けられている、請求項８７に記載のカバー。
【請求項９８】
前記カウンターバランス連結機構は、前記カバーのヘッドレールに入っているボビンを備えている、請求項９７に記載のカバー。
【請求項９９】
建築物開口部用の複数の羽根板を有しているカバーに用いられる平衡チルト機構において、
前記複数の羽根板を、その長手方向回転軸回りに時計回りに付勢するようになっている第１カウンターバランスと、
前記複数の羽根板を、その長手方向回転軸回りに反時計回りに付勢するようになっている第２カウンターバランスであって、前記第１及び第２カウンターバランスによって掛けられる互いに反対方向の付勢力は実質的に等しくなっている第２カウンターバランスと、
前記第１カウンターバランスと前記第２カウンターバランスを作動的に接続するためのカウンターバランス連結機構と、
前記カウンターバランス連結機構に連結され、前記羽根板を選択的にチルトさせるようになっているチルト作動器と、を備えている平衡チルト機構。
【請求項１００】
前記第１カウンターバランスは重りである、請求項９９に記載の平衡チルト機構。
【請求項１０１】
前記第２カウンターバランスはばねである、請求項９９に記載の平衡チルト機構。
【請求項１０２】
前記チルト作動器はコードを備えており、前記コードの一端は前記重りに連結されており、他端は前記カウンターバランス連結機構に連結されている、請求項１００に記載の平衡チルト機構。
【請求項１０３】
前記カウンターバランス連結機構は、前記カバーのヘッドレールに回転可能に連結されるようになっているボビンを備えている、請求項１０２に記載の平衡チルト機構。
【請求項１０４】
底部羽根板をさらに含むとともに、該底部羽根板の横断面形状が前記複数の羽根板の各羽根板の横断面形状とほぼ同様の形状をなしている、請求項１に記載のカバー。
【請求項１０５】
底部羽根板をさらに含むとともに、該底部羽根板の横断面形状が前記複数の羽根板の各羽根板の横断面形状とほぼ同様の形状を示している、請求項２に記載のカバー。
【手続補正２】
【補正対象書類名】明細書
【補正対象項目名】０００２
【補正方法】変更
【補正の内容】
【０００２】
本特許出願は、２００１年７月１６日出願の米国仮特許出願第６０／３０５，９４７号及び２００２年５月１７日出願の米国仮特許出願第６０／３８１，５８７号の両方に対し優先権を請求する。本出願は、更に、「建築物開口部用のシャッター様カバー及びハードウェア」に関して２００２年７月１６日に同時出願しており、２００１年７月１６日出願の米国仮特許出願第６０／３０６，０４９号に対し優先権を請求する米国実用特許出願第１０／１９７，６７４号にも関係しており、その全体を参考文献としてここに援用する。
【手続補正３】
【補正対象書類名】明細書
【補正対象項目名】００１２
【補正方法】変更
【補正の内容】
【００１２】
図１−１２に、本発明の好適な実施形態によるウインドウブラインドアッセンブリ１０を示す。以下、本発明を、ウインドウブラインドとして用いるものとして説明するが、本発明は、戸口、アーチ通路等、どの様な建築物開口部にも用いることができる。ブラインドアッセンブリは、（ｉ）一対の取付ブラケット１４によって窓枠に回転可能に連結され
ている、水平方向の、自己支持性のある、概ね剛体の羽根板形状のヘッドレール１２と、（ii）１つ又は複数のリフトコード２２によってヘッドレールに連結されている、水平方向の、自己支持性のある、幾分剛性のある下部羽根板（又はフットレール）と、（iii）
上部羽根板と底部羽根板との間に配置され、コードはしご２６によってそれらに連結されている複数の水平方向羽根板２４と、（iv）羽根板を上昇させ、且つチルトさせるための作動器ロッド２８と、を備えている。羽根板は、管状で、繊維性材料で作られており、幾らか剛性を備えているので、水平方向に自己支持できるようになっている。管状織布羽根板については、本発明の譲受人が所有する同時係属同時出願の米国特許出願「建築物開口部用のシャッター様カバー及びハードウェア」（米国特許出願第米国実用特許出願第１０／１９７，６７４号）に更に詳しく説明されている。なお、本発明の代替実施形態では、繊維性材料の羽根板の代わりに木製又はアルミニウム製のような他の種類の羽根板も使用できるものと理解頂きたい。